(57)【要約】      （修正有）【課題】断熱性及び耐久性に優れる真空断熱筐体を提供することを目的とする。【解決手段】真空断熱筐体１０は、ヒンジを介して被固定体に固定される平板状の真空断熱筐体であって、前記ヒンジが取り付けられる取付部７０が周縁の一部に形成され、内部空間を有する平板状のケースと、前記内部空間に収容される真空断熱材６０と、を備え、前記ケースは、前記取付部に対応する部分が前記内部空間側に窪んで形成されており、前記真空断熱材は、熱可塑性樹脂からなる樹脂層とガスバリア層との積層部により成形された部材を含む収容体に芯材が封入されて構成され、かつ、前記取付部に整合するよう窪んだ凹部を有する。【選択図】図３
2019015474.tif 000002
【特許請求の範囲】
【請求項１】
ヒンジを介して被固定体に固定される平板状の真空断熱筐体であって、
前記ヒンジが取り付けられる取付部が周縁の一部に形成され、内部空間を有する平板状のケースと、
前記内部空間に収容される真空断熱材と、を備え、
前記ケースは、前記取付部に対応する部分が前記内部空間側に窪んで形成されており、
前記真空断熱材は、熱可塑性樹脂からなる樹脂層とガスバリア層との積層部により成形された部材を含む収容体に芯材が封入されて構成され、かつ、前記取付部に整合するよう窪んだ凹部を有する、真空断熱筐体。
【請求項２】
前記ヒンジは、前記取付部に形成されて挿通孔を有する軸受部と、前記挿通孔に挿通される軸部と、該軸部を支持すると共に前記被固定体に固定される固定部と、を有し、
前記取付部には、前記固定部が配置される収容部が形成され、
前記真空断熱材の前記凹部は、前記収容部に整合するよう窪んだ第１凹部と、前記軸受部に整合するよう窪んだ第２凹部とを有し、かつ、前記第１凹部及び前記第２凹部は段状を成している、請求項１に記載の真空断熱筐体。
【請求項３】
前記ケースは、前記収容部に配置された前記固定部を覆うよう、前記ケースの主面に沿って延設された被覆部を有し、
前記真空断熱材の前記収容体は、前記芯材を収容する凹状の第１部材、及び、前記第１部材と接合して該第１部材の開口を密閉する第２部材を有し、前記第１部材と前記第２部材との接合部のうち前記凹部に対応する部分は、前記被覆部に沿って延設されている、請求項２に記載の真空断熱筐体。
【請求項４】
請求項１〜３のいずれかの真空断熱筐体を備えている、冷蔵庫。
【発明の詳細な説明】
【技術分野】
【０００１】
本発明は、真空断熱筐体及び冷蔵庫に関する。
【背景技術】
【０００２】
従来、真空断熱材を備える真空断熱筐体を用いた例として、例えば、特許文献１に示す冷蔵庫が知られている。この冷蔵庫は、正面が開口する断熱箱体と、断熱箱体の開口を塞ぐ扉とを備え、扉は、外板、内板、及びこれらに挟まれる真空断熱材を有している。この扉は、回動可能に断熱箱体に装着するためのヒンジ部を上下に有し、真空断熱材は、ヒンジ部に近接する角部分を面取りされた形状に形成されている。
【先行技術文献】
【特許文献】
【０００３】
【特許文献１】特開２０１３−１７０７７５号公報
【発明の概要】
【発明が解決しようとする課題】
【０００４】
上記特許文献１の真空断熱材の角部分を面取りすることにより、この面取り部分とヒンジ部との間に空間が空き、真空断熱材の断熱効果が低下してしまう。このため、この空間に発泡ウレタン等の断熱材を配置して、断熱効果の低下の抑制を図っている。
【０００５】
しかしながら、発泡ウレタン等の断熱材は真空断熱材よりも断熱性能が劣るため、断熱効果の低下の抑制に大きな効果が期待できない。また、ヒンジ部は最も大きな応力が作用する部分であるため、このヒンジ部の周囲に真空断熱材とは別部材を配置すると経年使用により変形等の不具合が発生する可能性がある。
【０００６】
本発明は、上記課題を鑑みてなされたものであり、断熱性及び耐久性に優れる真空断熱筐体を提供することを目的とする。
【課題を解決するための手段】
【０００７】
上記従来の課題を解決するために、本発明の第１態様に係る真空断熱筐体は、ヒンジを介して被固定体に固定される平板状の真空断熱筐体であって、前記ヒンジが取り付けられる取付部が周縁の一部に形成され、内部空間を有する平板状のケースと、前記内部空間に収容される真空断熱材と、を備え、前記ケースは、前記取付部に対応する部分が前記内部空間側に窪んで形成されており、前記真空断熱材は、熱可塑性樹脂からなる樹脂層とガスバリア層との積層部により成形された部材を含む収容体に芯材が封入されて構成され、かつ、前記取付部に整合するよう窪んだ凹部を有する。
【０００８】
この構成によれば、真空断熱材の凹部がケースの取付部に整合することにより、ケースにおいて大きな真空断熱材の占有面積を確保することができ、真空断熱筐体の断熱性能に優れる。また、ケースの取付部と真空断熱材との間の隙間を真空断熱材とは別部材で埋める必要がないため、経年使用による変形等の不具合の発生を低減し、真空断熱筐体の耐久性に優れる。
【０００９】
本発明の第２態様に係る真空断熱筐体は、第１態様において、前記ヒンジは、前記取付部に形成されて挿通孔を有する軸受部と、前記挿通孔に挿通される軸部と、該軸部を支持すると共に前記被固定体に固定される固定部と、を有し、前記取付部には、前記固定部が配置される収容部が形成され、前記真空断熱材の前記凹部は、前記収容部に整合するよう窪んだ第１凹部と、前記軸受部に整合するよう窪んだ第２凹部とを有し、かつ、前記第１凹部及び前記第２凹部は段状を成していてもよい。
【００１０】
この構成によれば、真空断熱材の第１凹部がケースの収容部に整合し、真空断熱材の第２凹部がケースの軸受部に整合して、これらが段状に形成されている。これにより、ケースと真空断熱材との間の隙間を小さく抑えることができ、真空断熱筐体の断熱性能及び耐久性に優れる。
【００１１】
本発明の第３態様に係る真空断熱筐体は、第２態様において、前記ケースは、前記収容部に配置された前記固定部を覆うよう、前記ケースの主面に沿って延設された被覆部を有し、前記真空断熱材の前記収容体は、前記芯材を収容する凹状の第１部材、及び、前記第１部材と接合して該第１部材の開口を密閉する第２部材を有し、前記第１部材と前記第２部材との接合部のうち前記凹部に対応する部分は、前記被覆部に沿って延設されていてもよい。
【００１２】
この構成によれば、被覆部により固定部が被覆されるため、ユーザから固定部が見えず、固定部による美観の低下を抑制することができる。また、第１部材及び第２部材の接合部が凹部に対応して設けられ且つ被覆部に沿って延びることにより、この接合寸法を大きく採ることができる。このため、例えば、ヒンジによって真空断熱筐体を回転して開閉する際、大きな力が第２ヒンジ部を介して真空断熱材に作用する場合であっても、強力な接合強度によって真空断熱材の接合剥離が防止され、真空断熱材の断熱性能を維持することができる。
【００１３】
本発明の第４態様に係る冷蔵庫は、第１〜３のいずれかの態様の真空断熱筐体を備えている。
【００１４】
本発明の上記目的、他の目的、特徴、及び利点は、添付図面参照の下、以下の好適な実施の形態の詳細な説明から明らかにされる。
【発明の効果】
【００１５】
本発明の真空断熱筐体及び冷蔵庫によれば、断熱性及び耐久性に優れる。
【図面の簡単な説明】
【００１６】
【図１】図１は、本実施の形態１に係る真空断熱筐体を回転扉として備える冷蔵庫を概略的に示す断面図である。
【図２】図２は、図１の回転扉を示す斜視図である。
【図３】図３は、図１に示す回転扉を示す分解斜視図である。
【図４】図４は、図１に示す回転扉の上側左角部を示す斜視図である。
【図５】図５は、図１に示す回転扉の下側左角部を示す斜視図である。
【図６】図６（ａ）は、図３に示す内箱部を前側から視た平面図である。図６（ｂ）は、図６（ａ）に示す内箱部を上側から視た平面図である。図６（ｃ）は、図６（ａ）に示す内箱部を下側から視た平面図である。
【図７】図７（ａ）は、図６（ａ）に示す内箱部を後側から視た平面図である。図７（ｂ）は、図６（ａ）に示す内箱部を左側から視た平面図である。
【図８】図８（ａ）及び図８（ｂ）は、図６（ａ）に示す内箱部の部分断面図である。
【図９】図９は、図３に示す真空断熱材を示す分解斜視図である。
【図１０】図１０（ａ）は、図３に示す真空断熱材を前側から視た平面図である。図１０（ｂ）は、図１０（ａ）に示す真空断熱材を後側から視た平面図である。
【図１１】図１１（ａ）及び図１１（ｂ）は、図１０（ｂ）に示す真空断熱材の部分断
【図１２】図１２（ａ）は、図４のＡ−Ａ線に沿って切断した真空断熱筐体の断面図である。図１２（ｂ）は、図４のＢ−Ｂ線に沿って切断した真空断熱筐体の断面図である。
【発明を実施するための形態】
【００１７】
以下、本発明の実施の形態を、図面を参照しながら具体的に説明する。なお、以下では全ての図面を通じて同一又は相当する要素には同一の参照符号を付して、その重複する説明を省略することがある。また、説明の便宜上、各図面において、「上」「下」「左」「右」「前」「後」の方向を定義しているが、断熱筐体の設置方向はこれに限定されず、任意である。
【００１８】
（実施の形態）
以下、本実施の形態に係る真空断熱筐体１０の一例について、図１〜図１１を参照しながら説明する。図１及び図２に示すように、回転扉１１は、ヒンジ２０、３０を介して冷蔵庫１３の本体等の被固定体に固定される平板状の真空断熱筐体１０を備えている。真空断熱筐体１０は、ヒンジ２０、３０が取り付けられる取付部７０、８０が周縁の一部に形成され、内部空間を有する平板状のケースを有している。この取付部７０、８０に取り付けられたヒンジ２０、３０によって、回転扉１１は冷蔵庫１３の本体に回転可能に取り付けられる。以下、真空断熱筐体１０を冷蔵庫１３の回転扉１１に適用した場合について説明するが、真空断熱筐体１０はこれに限定されない。
【００１９】
図３に示すように、回転扉１１は真空断熱筐体１０に装着されるガスケット１２をさらに備え、真空断熱筐体１０は、内箱部４０及び外箱部５０により構成されるケース、及び、ケースの内部空間に収容される真空断熱材６０を有している。
【００２０】
内箱部４０は、樹脂を用いて射出成形等により形成されており、正面に開口する箱形状であって、開口部（第１開口部）、壁部４１及び枠部４２を有している。外箱部５０は、ガラス板又はプリコート鋼板等により形成されており、矩形の平板形状であって、内箱部４０の第１開口部を塞ぐように内箱部４０に取り付けられる。ガスケット１２は、外に現れている内箱部４０の壁部４１の外面の溝部（図示せず）に嵌められて、内箱部４０に取り付けられている。
【００２１】
真空断熱材６０は、ケースの内面に沿った形状を有しており、略平板形状であって、ケースに収容される。ケースは、取付部７０、８０に対応する部分が内部空間側に窪んで形成されており、この取付部７０、８０に整合するように窪んだ凹部６６ａ、６６ｂ、６８ａ、６８ｂ（図１０（ｂ））が真空断熱材６０に設けられている。
【００２２】
ヒンジは、上側のヒンジ２０及び下側のヒンジ３０を有している。上側のヒンジ２０は、内箱部４０の上側左角部に設けられる取付部（上側取付部７０）に取り付けられ、下側のヒンジ３０は、内箱部４０の下側左角部に設けられる取付部（下側取付部８０）に取り付けられる。
【００２３】
図４に示すように、上側のヒンジ２０は、固定部（上側固定部２１）、軸部（上側軸部２２）及び軸受部（上側軸受部２３）を有している。上側軸受部２３は、上側取付部７０に形成されて、挿通孔（上側挿通孔２４）を有する。上側軸部２２は、上側挿通孔２４に挿通される。上側固定部２１は、上側軸部２２を支持すると共に、冷蔵庫１３の本体の上部に固定される。
【００２４】
図５に示すように、下側のヒンジ３０は、固定部（下側固定部３１）、軸部（下側軸部３２）及び軸受部（下側軸受部３３）を有している。下側軸受部３３は、下側取付部８０に形成されて、挿通孔（下側挿通孔３４）を有する。下側軸部３２は、下側挿通孔３４に挿通される。下側固定部３１は、下側軸部３２を支持すると共に、冷蔵庫１３の本体の下部に固定される。
【００２５】
図６（ａ）〜図８（ｂ）に示すように、内箱部４０は、例えば、壁部４１が左右方向よりも上下方向に長い矩形状である。枠部４２は、基端が壁部４１の外縁に接続し、この外縁から前方へ立ち上がり、先端が第１開口部を取り囲む。枠部４２の先端側内面に真空断熱材６０（図３）の端部及び外箱部５０（図３）の端部が嵌る環状溝４３が設けられており、環状溝４３は枠部４２の先端側及び内面側から窪む。このため、枠部４２の厚み（内面と外面との寸法）は壁部４１の厚み（内面と外面との寸法）以上に設定されていてもよい。
【００２６】
上側取付部７０には、収容部（上側収容部７１）及び上側軸受部２３が形成されている。下側取付部８０には、収容部（下側収容部８１）及び下側軸受部３３が形成されている。上側取付部７０及び下側取付部８０は、上側軸受部２３の上側挿通孔２４及び下側軸受部３３の下側挿通孔３４の中心軸が互いに一致して上下方向に延びるように配置されている。
【００２７】
上側収容部７１は、上側のヒンジ２０（図３）の上側固定部２１を収容可能な部分であって、上側、左側及び後側の三方から窪む窪みである。上側収容部７１は、右側面、前側面及び下側面（上側底面７４）により囲まれており、上側、左側及び後側に開放されている。内箱部４０のうち、上側底面７４から外箱部５０（ケースの主面）（図２）に沿って上方へ延設された部分は、後側から上側収容部７１に収容される上側固定部２１（図３）の縁部を前方から覆う被覆部（上側被覆部７５）して機能する。この上側被覆部７５の後面が、上側収容部７１を取り囲む前側面になる。
【００２８】
上側軸受部２３は、上側のヒンジ２０（図３）の上側軸部２２を支持する部分であって、例えば、上側収容部７１の下方に設けられている。上側軸受部２３は、例えば、略円筒形状であり、上側軸部２２が挿通される上側挿通孔２４が形成されている。上側挿通孔２４は、上側収容部７１の上側底面７４から下方へ窪んで、上側底面７４に開口する。左右方向に延びる上側収容部７１と、上下方向に延びる上側挿通孔２４とは、Ｌ字形状に配置されている。
【００２９】
下側収容部８１は、下側のヒンジ３０（図３）の下側固定部３１を収容可能な部分であって、下側、左側及び後側の三方から窪む窪みである。下側収容部８１は、右側面、前側面及び上側面（下側底面８４）により囲まれており、下側、左側及び後側に開放されている。内箱部４０のうち、下側底面８４から外箱部５０（ケースの主面）（図２）に沿って下方へ延設された部分は、後側から下側収容部８１に収容される下側固定部３１（図３）の縁部を前方から覆う被覆部（下側被覆部８５）して機能する。この下側被覆部８５の後面が、下側収容部８１を取り囲む前側面になる。
【００３０】
下側軸受部３３は、下側のヒンジ３０（図３）の下側軸部３２を支持する部分であって、例えば、下側収容部８１の上方に設けられている。下側軸受部３３は、例えば、略円筒形状であり、下側軸部３２が挿通される下側挿通孔３４が形成されている。下側挿通孔３４は、下側収容部８１の下側底面８４から上方へ窪んで、下側底面８４に開口する。左右方向に延びる下側収容部８１と、上下方向に延びる下側挿通孔３４とは、Ｌ字形状に配置されている。
【００３１】
図９に示すように、真空断熱材６０は、芯材６１、吸着剤６２及び収容体を有している。収容体は、例えば、第１部材６３及び第２部材６４から構成されており、この内部空間に、芯材６１及び吸着剤６２が配置され、内部空間が所定の真空度になるように構成されている。
【００３２】
第１部材６３は、内箱部４０（図３）の内面形状に合わせて、真空成形、射出成形、圧空成形、又はプレス成形等により成形された部材である。第１部材６３は、熱可塑性樹脂からなる樹脂層とガスバリア層との積層部によって形成されている。第１部材６３は、内箱部４０の材料よりも柔らかい材料、例えば、エチレン−ビニルアルコール共重合樹脂等の軟質材料の層が複数、積層された多層シートにより形成されている。これにより、第１部材６３が内箱部４０に収容された際に第１部材６３は内箱部４０の内面に合着することができる。
【００３３】
第１部材６３は、凹状に形成されており、内側に芯材６１を収容する。第１部材６３は、開口部（第２開口部）、及び、その第２開口部の縁部にフランジ６５を有している。フランジ６５は、第２開口部の開口面に沿って外方へ張り出している。
【００３４】
第１部材６３は、上側左角部に幅広部（上側幅広部６７）が設けられ、下側左角部に幅広部（下側幅広部６９）が設けられている。上側幅広部６７及び下側幅広部６９は、Ｌ字状の平板形状であって、フランジ６５から拡張して形成されている。
【００３５】
第２部材６４は、矩形状のフィルムであって、真空断熱材６０の正面を構成し、第１部材６３の第２開口部を密閉するように構成されている。第２部材６４としては、例えば、熱可塑性樹脂等のラミネートフィルムであってもよく、ラミネートフィルムは、アルミニウム又はステンレス等の金属層を有していてもよい。
【００３６】
芯材６１は、例えば、連続気泡ウレタンフォームで構成されていてもよく、連続気泡ウレタンフォームは特許第５３１０９２８号に開示されている特徴を有するものであってもよい。また、例えば、芯材６１としては、ガラス繊維、ロックウール、アルミナ繊維、又はポリエチレンテレフタレート繊維等で構成されていてもよい。
【００３７】
芯材６１は、収容体の内部空間と同一形状に形成されており、収容体に充填されている。この芯材６１には、上側左角部に切欠き部（上側切欠き部６１ａ）が設けられ、下側左角部に切欠き部（下側切欠き部６１ｂ）が設けられている。上側切欠き部６１ａは、その内側に第１部材６３の上側幅広部６７が嵌る形状に切り取られており、上側幅広部６７に対応して整合している。下側切欠き部６１ｂは、その内側に第１部材６３の下側幅広部６９が嵌る形状に切り取られており、下側幅広部６９に対応して整合している。
【００３８】
吸着剤６２としては、水分を吸着除去する水分吸着剤と大気ガス等のガスを吸着する気体吸着剤が挙げられる。吸着剤６２は芯材６１に設けられた穴部に嵌められ、この吸着剤６２が穴部に嵌められた状態で芯材６１は第１部材６３の内部空間と同一形状になる。
【００３９】
このような芯材６１の上側切欠き部６１ａに第１部材６３の上側幅広部６７が嵌り、芯材６１の下側切欠き部６１ｂに第１部材６３の下側幅広部６９が嵌るようにして、芯材６１が第２開口部から第１部材６３に収容される。この第２開口部を第２部材６４で覆うようにして、第２開口部から張り出すフランジ６５、並びに、フランジ６５から延長して設けられる上側幅広部６７及び下側幅広部６９と、第２部材６４とが熱溶着等により接合される。これにより、図１０（ａ）及び図１０（ｂ）に示すように、フランジ６５と第２部材６４との接合部（縁接合部６５ａ）、上側幅広部６７と第２部材６４との接合部（上側接合部６７ａ）、及び、下側幅広部６９と第２部材６４との接合部（下側接合部６９ａ）が形成される。
【００４０】
縁接合部６５ａは、第１部材６３の第２開口部を取り囲むように環状に形成されている。これにより、第１部材６３及び第２部材６４より構成される収容体が密閉される。縁接合部６５ａは、真空断熱材６０が内箱部４０（図６（ａ））に収容された際に、内箱部４０の環状溝４３に嵌る。上側接合部６７ａ及び下側接合部６９ａは、Ｌ字形状であって、縁接合部６５ａを延長して形成されている。
【００４１】
図１０（ｂ）、図１１（ａ）、及び図１２（ａ）に示すように、真空断熱材６０の上側左角部には、上側接合部６７ａに加えて、第１凹部（上側第１凹部６６ａ）及び第２凹部（上側第２凹部６６ｂ）がさらに設けられている。
【００４２】
上側第１凹部６６ａ及び上側第２凹部６６ｂは、収容体の内部空間側において芯材６１の上側切欠き部６１ａに沿う。この内部空間側と反対側において、上側第１凹部６６ａ及び上側第２凹部６６ｂに上側接合部６７ａが対応するようにＬ字形状に配置されている。上側接合部６７ａは、上側第１凹部６６ａ及び上側第２凹部６６ｂの縁から上方に立ち上がり、縁接合部６５ａから延長して形成される。また、上側接合部６７ａは、真空断熱材６０が内箱部４０（図１２（ａ））に収容された際に、内箱部４０の上側被覆部７５とこれに対向する外箱部５０（図３）との間に挟まれ、これらに沿って延びる。
【００４３】
このように、上側第１凹部６６ａ及び上側第２凹部６６ｂによって第２部材６４と上側幅広部６７との接合部（上側接合部６７ａ）を広く確保でき、第１部材６３と第２部材６４との接合強度を向上することができる。特に、上側取付部７０（図１２（ａ））近傍では回転扉１１の開閉時に真空断熱材６０の縁接合部６５ａ及び上側接合部６７ａに第１部材６３及び第２部材６４を剥離する大きな力が作用する。ただし、このような状況でも上側接合部６７ａの強力な接合強度によって第１部材６３及び第２部材６４の剥離を防止し、剥離による真空断熱材６０の断熱性能の低下を低減することができる。
【００４４】
また、上側第１凹部６６ａは内箱部４０（図１２（ａ））の上側収容部７１に整合するように窪んだ形状を有し、上側第２凹部６６ｂは内箱部４０の上側軸受部２３に整合するよう窪んだ形状を有している。このため、真空断熱材６０が内箱部４０に収容された際に、上側第１凹部６６ａが上側収容部７１に沿い、上側第２凹部６６ｂが上側軸受部２３に沿う。
【００４５】
上側第１凹部６６ａ及び上側第２凹部６６ｂは、上側、左側及び後側の三方から窪んで、連続してＬ字形状に配置されている。この上側第１凹部６６ａ及び上側第２凹部６６ｂは、真空断熱材６０の外縁の左端から窪む寸法及び上端から窪む寸法が異なり、段状に形成されている。このため、真空断熱材６０が内箱部４０（図６（ｂ））に収容された状態で、上側第１凹部６６ａと上側収容部７１との隙間、及び、上側第２凹部６６ｂと上側軸受部２３との隙間を小さく抑えて、真空断熱材６０の寸法を大きく採ることができるため、真空断熱材６０による真空断熱筐体１０の断熱性能の向上が図られる。また、上側第１凹部６６ａと上側収容部７１との間、及び、上側第２凹部６６ｂと上側軸受部２３との間に真空断熱材６０とは別部材が配置されないため、経年使用により変形等の不具合を防止することができる。
【００４６】
図１０（ｂ）及び図１１（ｂ）に示すように、真空断熱材６０の下側左角部には、下側接合部６９ａに加えて、第１凹部（下側第１凹部６８ａ）及び第２凹部（下側第２凹部６８ｂ）がさらに設けられている。
【００４７】
下側第１凹部６８ａ及び下側第２凹部６８ｂは、収容体の内部空間側において芯材６１の下側切欠き部６１ｂに沿う。この内部空間側と反対側において、下側第１凹部６８ａ及び下側第２凹部６８ｂに下側接合部６９ａが対応するようにＬ字形状に配置されている。下側接合部６９ａは、下側第１凹部６８ａ及び下側第２凹部６８ｂの縁から下方に立ち上がり、縁接合部６５ａから延長して形成されている。また、下側接合部６９ａは、真空断熱材６０が内箱部４０（図６（ａ））に収容された際に、内箱部４０の下側被覆部８５とこれに対向する外箱部５０（図３）との間に挟まれ、これらに沿って延びる。
【００４８】
このように、下側第１凹部６８ａ及び下側第２凹部６８ｂによって第２部材６４と下側幅広部６９との接合部（下側接合部６９ａ）を広く確保でき、第１部材６３と第２部材６４との接合強度を向下することができる。特に、下側取付部８０（図３）近傍で回転扉１１の開閉時に真空断熱材６０の縁接合部６５ａ及び下側接合部６９ａに第１部材６３及び第２部材６４を剥離する大きな力が作用する。ただし、このような状況であっても、下側接合部６９ａの強力な接合強度によってこの剥離を防止し、剥離による真空断熱材６０の断熱性能の低下を低減することができる。
【００４９】
また、下側第１凹部６８ａは内箱部４０（図６（ａ））の下側収容部８１に整合するよう窪んだ形状を有し、下側第２凹部６８ｂは内箱部４０の下側軸受部３３に整合するよう窪んだ形状を有している。このため、真空断熱材６０が内箱部４０に収容された際に、下側第１凹部６８ａが下側収容部８１に沿い、下側第２凹部６８ｂが下側軸受部３３に沿う。
【００５０】
下側第１凹部６８ａ及び下側第２凹部６８ｂは、下側、左側及び後側の三方から窪んで、連続してＬ字形状に配置されている。この下側第１凹部６８ａ及び下側第２凹部６８ｂは、真空断熱材６０の外縁の左端から窪む寸法及び下端から窪む寸法が異なり、段状に形成されている。このため、真空断熱材６０が内箱部４０（図６（ｃ））に収容された状態で、下側第１凹部６８ａと下側収容部８１との隙間、及び、下側第２凹部６８ｂと下側軸受部３３との隙間を小さく抑えて、真空断熱材６０の寸法を大きく採ることができるため、真空断熱材６０による真空断熱筐体１０の断熱性能の向上が図られる。また、下側第１凹部６８ａと下側収容部８１との間、及び、下側第２凹部６８ｂと下側軸受部３３との間に真空断熱材６０とは別部材が配置されないため、経年使用により変形等の不具合を防止することができる。
【００５１】
このように構成された真空断熱筐体１０について、図４に示すように、上側取付部７０に上側のヒンジ２０が取り付けられる。上側のヒンジ２０の上側固定部２１は、平板形状であって、水平方向に配置され、冷蔵庫１３の本体に取り付けられる。回転扉１１が冷蔵庫１３の本体の正面開口を塞いでいる状態で、上側固定部２１が上側取付部７０の上側収容部７１に収容され、上側固定部２１の下面が上側収容部７１の上側底面７４上に配置される。
【００５２】
回転扉１１が冷蔵庫１３の本体の正面開口を塞いでいる状態で、上側固定部２１の前側縁部が上側収容部７１の前方にある上側被覆部７５によって前方から被覆される。これにより、上側固定部２１がユーザから見えないため、上側固定部２１による美観の低下を低減することができる。
【００５３】
上側のヒンジ２０の上側軸部２２は、下方に延び、上側挿通孔２４に挿入されて、上側軸受部２３により支持される。これにより、回転扉１１は上側軸部２２を中心に回転して、回転扉１１が冷蔵庫１３の本体の正面開口を開閉することができる。
【００５４】
また、図５に示すように、真空断熱筐体１０の下側取付部８０に下側のヒンジ３０が取り付けられる。この際、これらの間にカム３５、ストッパ３６及び板バネ３７が設けられる。ストッパ３６は、真空断熱筐体１０に取り付けられ、真空断熱筐体１０と共に回転して最大回転位置で下側固定部３１に係止されることにより、真空断熱筐体１０の最大開放位置を制限する。カム３５は筒状であって、下側軸部３２が挿入される。板バネ３７は、回転扉１１に閉まる方向に力を作用させる。
【００５５】
下側のヒンジ３０の下側固定部３１は、冷蔵庫１３の本体に取り付けられる。回転扉１１が冷蔵庫１３の本体の正面開口を塞いでいる状態で、下側固定部３１は、下側取付部８０の下側収容部８１に収容され、ストッパ３６及び板バネ３７を介して下側固定部３１の下面が下側収容部８１の下側底面８４上に配置される。
【００５６】
回転扉１１が冷蔵庫１３の本体の正面開口を塞いでいる状態で、下側固定部３１の前側縁部が下側収容部８１の前方に位置する下側被覆部８５によって前方から被覆される。これにより、下側固定部３１がユーザから見えないため、下側固定部３１による美観の低下を低減することができる。
【００５７】
下側のヒンジ３０の下側軸部３２は、下方に延び、下側のヒンジ３０の下側挿通孔３４に挿入されて、下側軸受部３３により支持される。これにより、回転扉１１は下側軸部３２を中心に回転して、回転扉１１が冷蔵庫１３の本体の正面開口を開閉することができる。
【００５８】
また、図１２（ｂ）に示すように、真空断熱材６０の縁接合部６５ａ及び外箱部５０の縁部が内箱部４０の環状溝４３に嵌る。これにより、接合部６５ａの端面、及び外箱部５０の端面の少なくとも一部が内箱部４０の枠部４２により被覆される。
【００５９】
このように、枠部４２により縁接合部６５ａが外力から保護されるため、縁接合部６５ａの剥離が防止され、剥離による真空断熱材６０の断熱性能の低下が低減される。また、水及びごみ等の異物が縁接合部６５ａの第１部材６３と第２部材６４との間に侵入することが妨げられるため、異物による真空断熱材６０の劣化及び縁接合部６５ａの剥離が低減される。さらに、縁接合部６５ａの端面及び外箱部５０の端面が外に現れないため、真空断熱筐体１０の意匠性が向上する。
【００６０】
また、枠部４２により外箱部５０が外力から保護されるため、外箱部５０の損傷が防がれ、真空断熱筐体１０の意匠性の低下が低減される。さらに、内箱部４０の先端が外箱部５０よりも先に突出しないため、内箱部４０の損傷が防がれ、真空断熱筐体１０の意匠性の低下が低減される。
【００６１】
なお、上記説明から、当業者にとっては、本発明の多くの改良や他の実施の形態が明らかである。したがって、上記説明は、例示としてのみ解釈されるべきであり、本発明を実行する最良の態様を当業者に教示する目的で提供されたものである。本発明の要旨を逸脱することなく、その構造及び／又は機能の詳細を実質的に変更できる。また、上記実施の形態に開示されている複数の構成要素の適宜な組合せにより種々の発明を形成できる。
【産業上の利用可能性】
【００６２】
本発明に係る真空断熱筐体及び冷蔵庫では、断熱性及び耐久性に優れる真空断熱筐体及び冷蔵庫などとして有用である。
【符号の説明】
【００６３】
１０    ：真空断熱筐体
２０    ：上側のヒンジ（ヒンジ）
２１    ：上側固定部（固定部）
２２    ：上側軸部（軸部）
２３    ：上側軸受部（軸受部）
２４    ：上側挿通孔（挿通孔）
３０    ：下側のヒンジ
３１    ：下側固定部（固定部）
３２    ：下側軸部（軸部）
３３    ：下側軸受部（軸受部）
３４    ：下側挿通孔（挿通孔）
４０    ：内箱部（ケース）
５０    ：外箱部（ケース）
６０    ：真空断熱材
６１    ：芯材
６３    ：第１部材
６４    ：第２部材
６６ａ  ：上側第１凹部（凹部、第１凹部）
６６ｂ  ：上側第２凹部（凹部、第２凹部）
６７ａ  ：上側接合部（接合部）
６８ａ  ：下側第１凹部（凹部、第１凹部）
６８ｂ  ：下側第２凹部（凹部、第２凹部）
６９ａ  ：下側接合部（接合部）
７０    ：上側取付部（取付部）
７１    ：上側収容部（収容部）
７５    ：上側被覆部（被覆部）
８０    ：下側取付部（取付部）
８１    ：下側収容部（収容部）
８５    ：下側被覆部（被覆部）
【図１】
2019015474.tif 000003
【図２】
2019015474.tif 000004
【図３】
2019015474.tif 000005
【図４】
2019015474.tif 000006
【図５】
2019015474.tif 000007
【図６】
2019015474.tif 000008
【図７】
2019015474.tif 000009
【図８】
2019015474.tif 000010
【図９】
2019015474.tif 000011
【図１０】
2019015474.tif 000012
【図１１】
2019015474.tif 000013
【図１２】
2019015474.tif 000014